(57)【特許請求の範囲】
【請求項１】
基盤の側面に形成されたネジ穴の近傍に取り付けられ、前記基盤の底面上に固定された基材に、ネジが前記ネジ穴に填め込まれたときに当該ネジの先端が当たらないように凹部を設けると共に、前記ネジ穴にネジを填め込む際にネジ穴の近傍を前記凹部の近傍に設けられた出っ張り部分が抑えるようにすることを特徴とするネジの取付機構。
【請求項２】
前記ネジ受け部材のネジ穴周囲であって、かつ前記出っ張り部分が当たらない位置の周囲には、当該ネジ受け部材が弾性を有するようにスリットが形成されていることを特徴とする請求項１記載のネジの取付機構。
【請求項３】
前記スリットの終端付近でネジ受け部材の基端が前記基材と反対側の方向へ鍵状に折り曲げられていることを特徴とする請求項２記載のネジの取付機構。
【請求項４】
記録媒体が搬入される装置基盤の側面に形成されたネジ穴の近傍に取り付けられ、前記装置基盤の底面上に固定された基材に、ネジが前記ネジ穴に填め込まれたときに当該ネジの先端が当たらないように凹部を設けると共に、前記ネジ穴にネジを填め込む際にネジ穴の近傍を前記凹部の近傍に設けられた出っ張り部分が抑えるようにすることを特徴とする情報記録装置。
【請求項５】
前記基盤は、前記記録媒体への情報の記録を制御する制御素子が設けられていることを特徴とする請求項４記載の情報記録装置。
【請求項６】
請求項４又は５記載の情報記録装置と、前記記録媒体に記録されている情報を再生する再生装置とを備えることを特徴とする情報記録再生システム。
【発明の詳細な説明】
【０００１】
【発明の属する技術分野】
本発明は、ネジの取付機構に関し、さらにディスク状の記録媒体に情報を記録する又は記録媒体に記録してある情報を再生する情報記録装置及び情報記録再生システムに関する。
【０００２】
【従来の技術】
従来、コンパクトディスクなどのディスク状の記録媒体に情報を記録する又は記録媒体に記録してある情報を再生する情報記録再生システムがある。
【０００３】
このシステムは、記録媒体が搬入される装置基盤の側面にネジ穴が形成されており、このネジ穴に填め込まれたネジを介して、装置基盤とシステム側とを接続している。
【０００４】
装置基盤上には、記録媒体への情報を記録したり、記録媒体に記録してある情報を再生するための制御を行う制御素子が搭載された制御基板が取り付けられることがほとんどである。また、制御基板は、装置基盤上のネジ穴の近傍に取り付けられることが多い。
【０００５】
ところで、ネジをネジ穴に填め込むので、ネジの先端が制御基板に当たらないように凹部が設けられていたり、装置基盤と制御基板との間隔を調整している。また、装置基盤のネジ穴周囲には、装置基盤に弾性を持たせるようにスリットが形成されていることが多い。さらには、そのスリットの終端付近では装置基盤の基端が外側へ鍵状に折り曲げられていることも多い。
【０００６】
【発明が解決しようとする課題】
しかし、従来の技術は、装置基盤側面に形成されているネジ穴にネジを填め込む際に、ネジ穴付近を中心に装置基盤に応力がかかる。特に、スリットを形成していたり、ネジ穴付近を鍵状に折り曲げていると、その部分に応力が集中して、ネジ穴付近が内側に曲がることがあり、装置基盤とシステムとをうまく接続できない場合があった。
【０００７】
図４は、従来技術の問題点の説明図である。図４には、情報記録再生装置１本体をシステム側と接続するための取付ネジ部２ａ、及びネジを填める際の取付ネジ部２ａの歪みを軽減するためのスリット２ｅを有する装置基盤２と、制御基板１３とを示している。
【０００８】
図４（ａ）に示すように、ネジをネジ穴に填め込んだときに、ネジの先端が制御基板１３に当たらないように装置基盤２と制御基板１３との間隔を調整すると、ネジを填め込んだときに図４（ｂ）に示すように取付ネジ部２ａの基端側が制御基板１３側に折り曲がる。
【０００９】
すると、システム本体に対して装置基盤２が傾くので、取付ネジ部２ａに対向する側に形成された取付ネジ部とシステム側との接続がうまくいかなくなる。
【００１０】
そこで、本発明は、ネジ穴が形成された装置基盤であるネジ受け部材にネジを填め込むときにネジ受け部材が変形しないようにすることを課題とする。
【００１１】
【課題を解決するための手段】
上記課題を解決するために、本発明のネジの取付機構は、ネジ穴が形成されたネジ受け部材のネジの填め込み先側に位置する基材に、前記ネジがネジ受け部材に填め込まれたときに当該ネジの先端が当たらないように凹部を設けると共に、前記ネジ受け部材にネジを填め込む際にネジ穴の近傍を前記凹部の出っ張り部分が抑えるようにする。
【００１２】
また、本発明の情報記録装置は、記録媒体が搬入される装置基盤の側面にネジ穴が形成されており、前記装置基板上であって前記ネジ穴の近傍に取り付けられる基板に、ネジがネジ穴に填め込まれたときに当該ネジの先端が当たらないように凹部を設けると共に、前記ネジ穴にネジを填め込む際にネジ穴の近傍を前記凹部の出っ張り部分が抑えるようにする。
【００１３】
さらに、本発明の情報記録再生システムは、情報記録装置と、前記記憶媒体に記録されている情報を再生する再生装置とを備える。
【００１４】
【発明の実施の形態】
以下、本発明の実施形態について図面を参照して説明する。
【００１５】
図１は、本発明の実施形態の情報記録再生装置１の分解斜視図である。図２は、図１の装置基盤２の分解平面図である。
【００１６】
図１には、磁気ディスクカートリッジ媒体（以下、「媒体」と称する。）の搬送先の装置基盤２（ネジ受け部材）と、装置基盤２の媒体搬送口を構成するベゼル１５と、ベゼル１５にねじりバネ１８を介して取り付けられるシャッタ１７と、情報記録再生装置１本体の動作を制御するためのメイン基板１３及びサブ基板１０（基材）と、装置基盤２への防塵及び内部保護のためのシールドカバー１４とを示している。
【００１７】
ベゼル１５には、媒体を搬送するための開口部１５ａが形成されている。また、媒体を取り出すためのイジェクトボタン１６も取り付けられている。シャッタ１７は装置基盤２の側面に設けられた穴２ｆをガイドに回転自在に取り付けられている。イジェクトボタン１６を押したときなどの媒体の搬送時にはシャッタ１７が穴２ｆを軸に回転する。それ以外のときには、ねじりバネ１８の回転力によりシャッタ１７が開口部１５ａを塞いでいる。
【００１８】
装置基盤２には、媒体の半径方向（図面のＡＢ方向）に移動するキャリッジ６と、キャリッジ６にヒンジを介して取り付けられているホルダ４と、キャリッジ６上に備えられた磁気データの読み書きを行う上下一対の磁気ヘッド４ａ，６ｂと、キャリッジ６に取り付けられており磁気ヘッド４ａを下方向に押圧するロードスプリング５と、磁気ヘッド４ａ，６ｂを媒体上の記録再生位置に移動させるリードスクリュー７と、リードスクリュー７を回転させるステッピングモータ８と、磁気ヘッド４ａ，６ｂ間を一定の距離に保つアーム４ｂ，４ｃと、媒体を規定の速度で回転させるモータ３と、ブラケット９とを備えている。
【００１９】
また、装置基盤２の側面には、情報記録再生装置１本体をシステム側と接続するためのネジ穴が形成された取付ネジ部２ａ〜２ｃと、ネジを填める際の取付ネジ部２ａ〜２ｃの歪みを軽減するためのスリット２ｅとを備えている。
【００２０】
サブ基板１０及びメイン基板１３には、情報記録再生装置１の動作を制御するフラットフレキシブル基盤１１，１２が備えられている。サブ基板１０及びメイン基板１３には、後述するようにネジを填める際の取付ネジ部２ａ〜２ｃの変形を防止するストッパ部１０ａ，１０ｂ，１３ａ（出っ張り部分）を形成している。
【００２１】
図３（ａ）は、図１に示す装置基盤２とメイン基板１３との接続部付近の拡大平面図である。図３（ｂ），図３（ｃ）は、図１に示す装置基盤２とサブ基板１０との接続部付近の拡大平面図である。
【００２２】
図３（ａ）〜図３（ｃ）に示すように、装置基盤２の側面は、取付ネジ部２ａ〜２ｃが装置基盤２本体に対して外側に位置するように、ストッパ２ｅの終端側、すなわち取付ネジ部２ａ〜２ｃの基端側が鍵状に折り曲げられている。
【００２３】
また、サブ基板１０及びメイン基板１３に形成したストッパ部１０ａ，１０ｂ，１３ａが、取付ネジ部２ａ〜２ｃの内側にほぼ接するようにされているので、取付ネジ部２ａ〜２ｃにネジを填める際に、ストッパ部１０ａ等によって取付ネジ部２ａ〜２ｃが内側に入り込まないようにされているので、取付ネジ部２ａ〜２ｃの基端が折り曲がることがなくなる。
【００２４】
以上、本発明の実施形態では、情報記録再生装置１の取付ネジ部２ａ〜２ｃを例に説明をしたが、情報記録再生装置１に限定されるものではなく、同様のネジ受け部が形成された基盤を備える装置に対しても有効である。
【００２５】
【発明の効果】
以上、説明したように、本発明によると、ネジ穴が形成されたネジ受け部材にネジを填め込むときにネジ受け部材が変形しないようにすることができる。
【００２６】
特に、基材にストッパ部を形成するだけでよいので、新たにネジ受け部材を変形させ内用するための部材を増やさないので、装置のコストアップや、装置の大型化も生じない。
【図面の簡単な説明】
【図１】本発明の実施形態の情報記録再生装置１の分解斜視図である。
【図２】図１の装置基盤２の分解平面図である。
【図３】図１に示す装置基盤２とメイン基板１３又はサブ基板１０との接続部付近の拡大平面図である。
【図４】従来技術の問題点の説明図である。
【符号の説明】
１  情報記録再生装置
２  装置基盤
２ａ〜２ｃ  取付ネジ部
２ｅ  スリット
２ｆ  穴
３  モータ
４  ホルダ
４ａ，６ｂ  磁気ヘッド
４ｂ，４ｃ  アーム
５  ロードスプリング
６  キャリッジ
７  リードスクリュー
８  ステッピングモータ
９  ブラケット
１０  サブ基板
１０ａ，１０ｂ，１３ａ  ストッパ部
１１，１２  フラットフレキシブル基盤
１３  メイン基板
１４  シールドカバー
１５  ベゼル
１５ａ  開口部
１６  イジェクトボタン
１７  シャッタ
１８  ねじりバネ
【図１】
0004150997.tif 000002
【図２】
0004150997.tif 000003
【図３】
0004150997.tif 000004
【図４】
0004150997.tif 000005